(57)【要約】【課題】  本発明は、パソコンのモニターの調整を容易にするために工夫されたものであり、視聴者の姿勢に応じた向きの調整ができるとともに高齢者や障害者でも容易に角度を調整できるモニター装置を提供する。【解決手段】  画像を表示する表示部１と、表示部１を支持する首振り機構Ａとを有し、前記首振り機構Ａは、表示部１に接続される第１ネック部２と、前記第１ネック部２に接続される第２ネック部３と、前記第２ネック部３を直立に支持するベース部５とからなり、前記第１ネック部２は、前記第２ネック部３との接続部３ａで水平な第１軸ａにて上下方向に回動可能に支持され、前記第２ネック部３は、前記ベース部５の接続部５ａで鉛直な第２軸ｂにて左右方向に回動可能に支持されているモニター装置であって、前記第１ネック部２と前記第２ネック部３を回動させる駆動機構が設けられている。【選択図】  図１
2007264568.tif 000002
【特許請求の範囲】
【請求項１】
画像を表示する表示部と、表示部を支持する首振り機構とを有し、前記首振り機構は、表示部に接続される第１ネック部と、前記第１ネック部に接続される第２ネック部と、前記第２ネック部を直立に支持するベース部とからなり、前記第１ネック部は、前記第２ネック部との接続部で水平な第１軸にて上下方向に回動可能に支持され、前記第２ネック部は、前記ベース部の接続部で鉛直な第２軸にて左右方向に回動可能に支持されているモニター装置であって、前記第１ネック部と前記第２ネック部を回動させる駆動機構が設けられたことを特徴とするモニター装置。
【請求項２】
前記表示部は、前記第１ネック部との接続部で前記表示部に垂直な第３軸にて回動可能に支持され、前記表示部を前記第３軸廻りに回動させる駆動機構が設けられたことを特徴とする請求項１記載のモニター装置。
【請求項３】
使用者があらかじめ設定した初期位置から、少なくとも前記第１軸、第２軸、第３軸によるいずれかの方向に所定角度自動的に回転した後、再び初期位置に戻るよう駆動機構を制御することを特徴とする請求項１または請求項２記載のモニター装置の首振り制御方法。
【請求項４】
モニター装置には、表示部の外縁に加わる人の手による押圧とその方向を検知する検知部と、前記首振り機構のモーターを制御する制御部とを有し、前記制御部が前記検知部からの信号に従って、表示部が駆動されることを特徴とする請求項１または請求項２記載のモニター装置。
【発明の詳細な説明】
【技術分野】
【０００１】
本発明は、モニター表示部の向きを容易に変えるようにすると共に、モニターの上下左右方向の回動を制御する技術に関する。
【背景技術】
【０００２】
近年のパソコンのモニターは、ＤＶＤ等の動画鑑賞の用途にも使われることが多くなってきている。動画鑑賞の場合は、机に向かってキーボードを打つ場合とでは見る態様が異なる。ＤＶＤ鑑賞等の動画を見る場合はベッドやソファーで姿勢を崩しながら見る事が多く、遠くからでも視聴者の姿勢に応じてモニターの向きの調整を容易に行えるモニター装置が期待されていた。他方、高齢者、障害者等がパソコンに向かって作業する機会が増えている。しかしながら、パソコンのモニターの向きを変える場合は、回動部が動きにくく、片方の手で、モニターの支持部を押さえながら、もう片方の手でディスプレイの枠部を回したい向きに押して回動させる必要があった。かかる動作は、高齢者や障害者にとっては困難であり、人の手助が必要であった。そこで、人の手助なしにモニターの向きを変えられるモニター装置の開発が要請されていた。この点、容易にモニターの向きを変える技術としては、例えば、特開２００５−０９４４３８号公報に示されているようにテレビ画面をリモコン操作により鉛直方向に伸びて表示画面を支持するスタンドの高さを調整したり、スタンドの鉛直軸廻りに左右に回転できる構成が開示されている。
【０００３】
ところが、パソコン用のモニターにおいては先行技術に示す方向の調整のみでは対応が困難であった。例えば、机に向かってキーボードを打つ場合のモニターの向きは、通常、鉛直方向に対しやや上向きに傾いているが、同モニターをＴＶやＤＶＤ等の動画鑑賞に使う場合は、鉛直またはやや下向きにするのが好ましい。しかしながら、上記先行技術では、モニターの画面を上向き下向きに調整することができず、ソファーやベッドで横たわって動画鑑賞をする場合等、画面が見難いといった欠点があった。
【特許文献１】特開２００５−０９４４３８
【発明の開示】
【発明が解決しようとする課題】
【０００４】
本発明は、パソコンのモニターの調整を容易にするために工夫されたものであり、視聴者の姿勢に応じた向きの調整ができるとともに高齢者や障害者でも容易に角度を調整できるモニター装置を提供することを目的とする。
【課題を解決するための手段】
【０００５】
上記課題を解決するために、本発明においては次のような手段を講ずることとした。すなわち、請求項１の発明は、画像を表示する表示部と、表示部を支持する首振り機構とを有し、前記首振り機構は、水平な第１軸にて上下方向に回動可能な第１ネック部と、鉛直な第２軸にて左右方向に回動可能な第２ネック部が設けられ、前記表示部は、前期第１ネック部により支持され、前記第１ネック部は、前記第２ネック部に支持され、前記第２ネック部は、下端部に設けられたベース部により支持されているモニター装置であって、前記第１ネック部と前記第２ネック部を回動させる駆動機構が設けられたことを特徴とする。
【０００６】
請求項２記載の発明は、請求項１記載の発明に係わり、前記表示部は、前記第１ネック部との接続部で前記表示部に垂直な第３軸にて回動可能に支持され、前記表示部を前記第３軸廻りに回動させる駆動機構が設けられたことを特徴とする。
【０００７】
請求項３記載の発明は、請求項１または請求項２記載の発明に係わり、使用者があらかじめ設定した初期位置から、少なくとも前記第１軸、第２軸、第３軸によるいずれかの方向に所定角度自動的に回転した後、再び初期位置に戻るよう駆動機構を制御することを特徴とする。
【０００８】
請求項４記載の発明は、請求項１または請求項２記載の発明に係わり、モニター装置には、表示部の外縁に加わる人の手による押圧とその方向を検知する検知部と、前記首振り機構のモーターを制御する制御部とを有し、前記制御部が前記検知部からの信号に従って、表示部が駆動されることを特徴とする。
【発明の効果】
【０００９】
本発明によると、次のような効果を奏する。請求項１の発明によると、モニターの首の向きを自由に変えられると共に、駆動機構を組み込む構成により、モニターの向きの調整を楽に行うことができる。
【００１０】
請求項２の発明によると、ＤＶＤ鑑賞等横長の画面を鑑賞する時と、縦長画像の文章を読む時等に、モニターの縦横の向きを切替えることができる。
【００１１】
請求項３の発明によると、所定のタイミングで標準位置から上下左右のいずれかに移動して標準位置に戻るよう表示部の首振りが制御されるので、例えば、モニターを長時間見ながら仕事をする作業者は、モニターの首振りに合わせて首の運動を行って首や肩に集中した過度な疲労を緩和することができる。
【００１２】
請求項４の発明によると、手で表示部を動かしたい向きに軽く触ることにより、表示部に設けた押圧検知部が表示部にかかる押圧を検知し、首振り機構のモーターを駆動されるので、表示部の向きのコントロールや角度の微調整が容易に行うことができる。
【発明を実施するための最良の形態】
【００１３】
図１乃至図１０に基づき詳述する。第１図は、本実施形態に係るモニター装置の側部の図であり、１は画像を表示する表示部で、Ａは首振り機構である。首振り機構Ａは、第１ネック部２、第２ネック部３、ベース部５とを有している。
【００１４】
第１ネック部２は、合成樹脂で形成され、水平方向の第１軸ａを回転中心として表示部１が上下方向に回転するように支持されている。第２ネック部３は、合成樹脂で形成され、鉛直方向の第２軸ｂを回転中心として第１ネック部３が左右方向に回転するように支持されている。また、前記第１ネック部における表示部の接続部２ａでは、表示部と垂直方向の第３軸ｃを回転中心として表示部１が縦横方向に回転するように支持されている。ベース部５は、合成樹脂により形成され、モニターを回転させても倒れないよう略円形の形状を有しており、第２ネック部に接続されている。
【００１５】
駆動機構は、第２ネック部３の第１ネック部との接続部３ａ、ベース部５の第２ネック部３との接続部５ａ、第１ネック部２の表示部との接続部２ａにそれぞれ設けられている。
【００１６】
第２ネック部３の接続部３ａに設けられた駆動機構４ａはモーターであり、水平方向の第１軸ａを回転中心として表示部１が上下方向に回転するよう、モーター出力軸には入力ギヤ４１ａが、水平方向の第１軸には出力ギヤ４２ａが前記入力ギヤ４１ａと噛み合って設けられている。
【００１７】
ベース５部の接続部５ａに設けられた駆動機構４ｂはモーターであり、鉛直方向の第２軸を回転中心として第２ネック部３が左右方向に回転するよう、モーター出力軸には入力ギヤ４１ｂが、水平方向の第１軸には出力ギヤ４２ｂが前記入力ギヤ４１ｂと噛み合って設けられている。
【００１８】
第１ネック部２の接続部２ａに設けられた駆動機構４ｃはモーターであり、表示部に垂直方向の第３軸を回転中心として表示部１が縦横方向に回転するよう、モーター出力軸には入力ギヤ４１ｃが、水平方向の第３軸には出力ギヤ４２ｃが前記入力ギヤ４１ａと噛み合って設けられている。
【００１９】
第２図（ａ）は図１の第１ネック部の首振り機構を拡大して示した側面図であり、第１ネック部２は第２ネック部３に第１軸ａで上下に回転可能に接続されている。８はカバー部材であり、合成樹脂で形成され第１ネック部と第２ネック部の間を覆うように設けられている。
【００２０】
第３図は首振り機構が作動する状態を示す実施例であり、表示部が、左に回転すると共に作業者の首も左に傾いている様子を示している。首振り機構に表示部の標準位置を設定しておき、所定のタイミングで初期位置から少なくとも第１軸（ａ）、第２軸（ｂ）、第３軸（ｃ）によるいずれかの方向に回転した後、再び標準位置に戻るようモーターの駆動を制御させる。ここで、初期位置とは、モニターの使用者が設定した最も使用しやすいモニターの首振り角度である。
【００２１】
具体的な首振り動作を形態を以下の通りである。首振りスイッチを入力して９０秒後に初期位置から第１軸ａを回転中心として、上方向に３０度以内の回転をして初期位置に戻り、その９０秒後には第２軸ｂを回転として右方向に３０度以内の回転をして初期位置に戻り、その９０秒後には第２軸ｂを回転として左方向に３０度以内の回転をして初期位置に戻り、その９０秒後には第３軸ｃを回転として右方向に３０度以内の回転をして初期位置に戻り、その９０秒後には第３軸ｃを回転として左方向に３０度以内の回転をして初期位置に戻るよう駆動される。
【００２２】
第６図は、上記モーター駆動のフローであり、その詳細を説明する。モニター装置をパソコンに接続して使用している状態において、所定時間ｔ経過しているか否かを判断し（ステップ１）、所定時間ｔ経過していればステップ２へ進み首振りモーターに電源が供給される。所定時間ｔが経過していなければ経過するまで待機する。
【００２３】
首振りモーターに電源が供給されると、次に、表示部が初期位置にあるか否か判断し（ステップ３）、表示部が初期位置にあるなら、表示部の首振り動作が開始する。表示部１が初期位置にないのならステップ９へ進み表示部が初期位置に戻される。
【００２４】
ステップ４における首振り動作の作動中に、キーボードが入力されたか否かを判断し（ステップ５）、キーボードが入力が確認されなかったら、所定時間ｔ１経過後（ステップ８）、表示部が初期位置に戻される（ステップ９）。他方、キーボードの入力が確認された場合は、首振り動作は停止され（ステップ６）、所定時間ｔ２経過して（ステップ７）、再び首振り動作を繰り返す（ステップ４）。
【００２５】
表示部が初期位置に戻り停止すると（ステップ９）、首振りモーターの電源が遮断され、再びステップ１からの上記フローを繰り返す。
【００２６】
第４図は、モニター装置の表示部に加わる人の手の押圧を検知して首振り機構のモーターが駆動制御するモニター装置を示す図であり、押圧を検知する検知部７は、第４図における領域７ａ、７ｂ、７ｃ、７ｄ、７ｅ、７ｆ、７ｇ、７ｈ、７ｉの位置に配置されている。領域７ａは表示部１の重心部、領域７ｂ、７ｃ、７ｄ、７ｅ、７ｆ、７ｇ、７ｈ、７ｉは表示部１の周縁部である。
【００２７】
検知部７は表示部１の重心部と表示部周縁に配置された速度センサーからなり、使用者が手で回したい向きに表示部の周縁を押すと、表示部の揺れ方向、揺れ幅を検知して、制御部８に信号が送信され、手で押した方向に沿う向きに首振り機構のモーター４が駆動制御される。なお、速度センサーにはジャイロ部材を用いるとよい。
【００２８】
第７図は、使用者が手で回したい向きに表示部の周縁を押すと、表示部の揺れ方向、揺れ幅を検知して、制御部８に信号が送信され、手で押した方向に沿う向きに首振り機構のモーター４が駆動制御されるモニター装置の作動フローであり、その詳細を説明する。
【００２９】
モニター装置を使用者が、手で回したい向きに表示部の周縁を押した時、その押圧が所定値以上（ステップ１）であるなら、その押圧方向を演算して（ステップ２）、首振り機構のモーターに電源が供給される（ステップ３）。
【００３０】
首振り機構のモーターに電源が供給されて（ステップ３）、押圧方向にモニターが所定距離ｌ移動したら（ステップ４）、首振りモーターの電源がＯＦＦになり一連の首振り動作が終了する（ステップ５）。他方、押圧方向にモニターが所定距離ｌ移動しない場合は（ステップ４）、ステップ３に戻り首振りモーターに電源供給され続ける。
【００３１】
図５における６はリモコンであり、図示しないコントロールキーの操作により、使用者が回転させたい向きに表示部に回転させる信号を制御部８に送信することにより、首振り機構のモーター４が使用者の意思に沿う向きに駆動される。
【００３２】
図８はモニターの押圧検知とリモコン操作の回路図であり、表示部に加わる押圧とリモコン信号を検知して、制御で検知した情報に基づいてモーターを駆動させる。
【００３３】
本実施形態によれば、以下の効果を有する。モニターの首の向きを自由に変えられると共に、モーターを組み込む構成により、モニターの向きの調整が楽に行うことができる。
【００３４】
ＤＶＤ鑑賞等横長の画面を鑑賞する時と、Ａ４縦長の文章を読む時等に、モニターの縦横の向きをモーター駆動により楽に切替えることができる。
【００３５】
所定のタイミングで初期位置から上下左右のいずれかに移動して初期位置に戻るよう表示部の首振りが制御されるので、例えば、モニターを長時間見ながら仕事をする作業者は、モニターの首振りに合わせて首の回転体操を行って首や肩に集中した過度な疲労を緩和することができる。
【００３６】
表示部に押圧検知部を設けたことにより表示部にかかる押圧を検知して、首
振り機構のモーターを駆動させることができる。
【００３７】
モニターの首にかかる押圧が検知された時、表示部の重心部に速度センサーが配置されているのでモニターの表示部にかかる押圧の方向を検出するとともに、モニターの向きの微調整が容易にできるようになった。
【００３８】
速度センサーを重心部に設けたことにより、表示部の移動したい向きに表示部周縁を指で軽く押しても、精度良く首振り機構のモーターが駆動して指で押した方向に表示部が移動させる事ができる。
【図面の簡単な説明】
【００３９】
【図１】本発明の実施例を示す概略図である。
【図２】本発明の実施例における第１ネック部第２ネック部の首振り機構を示した側面図である。
【図３】本発明の首振り機構のモーター制御に関する一実施例である。
【図４】本発明の首振り機構のモーター制御に関する他実施例である。
【図５】本発明の首振り機構のモーター制御に関する他実施例である。
【図６】本発明の首振り機構のモーター制御の一実施例に関するフロー図である。
【図７】本発明の首振り機構のモーター制御の他実施例に関するフロー図である
【図８】本発明の実施形態に係る回路図である。
【符号の説明】
【００４０】
Ａ          首振り機構
ａ          第１軸
ｂ          第２軸
ｃ          第３軸
１          表示部
２ａ        接続部
２          第１ネック部
２ａ        接続部
３          第２ネック部
３ａ        接続部
４          モーター
４ａ        第１モーター
４ｂ        第２モーター
４ｃ        第３モーター
４１        入力ギヤ
４２        出力ギヤ
５          ベース部
５ａ        接続部
６          リモコン
７ａ〜７ｂ  検知部
８          カバー部材
【図１】
2007264568.tif 000003
【図２】
2007264568.tif 000004
【図３】
2007264568.tif 000005
【図４】
2007264568.tif 000006
【図５】
2007264568.tif 000007
【図６】
2007264568.tif 000008
【図７】
2007264568.tif 000009
【図８】
2007264568.tif 000010